(57)【特許請求の範囲】
【請求項１】
外部から供給され、多重化された複数チャンネルからなり、符号化されてなるトランスポートストリームを受信する受信手段と、
上記受信手段により受信された当該トランスポートストリームから任意の１チャンネルのトランスポートストリームを選択する選択手段と、
上記選択手段により選択したトランスポートストリームに含まれている付加情報を参照して該トランスポートストリームから任意のプログラムのデータを分離する分離手段と、
上記分離手段により分離したデータを復号化する復号手段と、
外部の記録再生装置とデータの送受信を行うためのデジタルインタフェースと、
上記選択手段により選択した上記トランスポートストリームに含まれている付加情報の内、上記デジタルインタフェースと接続されている外部の記録再生装置に対して送信されるプログラムに関係しない情報を削除する削除手段とを備え、
上記デジタルインタフェースは、上記削除手段により上記デジタルインタフェースと接続されている外部の記録再生装置に対して送信されるプログラムに関係しない情報を削除した後のトランスポートストリームを外部の記録再生装置に送信し、また、外部の記録再生装置から送信されてきたトランスポートストリームを受信することを特徴とするデジタル信号処理装置。
【請求項２】
上記分離手段は、分離すべきトランスポートストリームが上記選択手段から供給された場合には、当該トランスポートストリームに含まれている付加情報を参照して分離処理を行い、また、分離すべきトランスポートストリームが上記デジタルインタフェースによって受信した外部の記録再生装置から送信された場合には、当該トランスポートストリームに含まれている付加情報の一部のみを参照して処理を行うものであることを特徴とする請求項１記載のデジタル信号処理装置。
【発明の詳細な説明】
【０００１】
【発明の属する技術分野】
本発明は、テジタル放送を受信して復号化する装置に関し、特に復号化前のデジタルビデオ信号及びデジタルオーディオ信号を外部の記録再生装置等へ入出力する際の処理に関するものである。
【０００２】
【従来の技術】
近年、米国や欧州諸国において、ＭＰＥＧ（Ｍｏｖｉｎｇ  Ｐｉｃｔｕｒｅ
Ｉｍａｇｅ  Ｃｏｄｉｎｇ  Ｅｘｐｅｒｔｓ  Ｇｒｏｕｐ）等の高能率符号化技術を応用して、ビデオ信号及びオーディオ信号を符号化し、通信衛星等を介して伝送し、受信側においてこれを復調するようにしたシステムが普及しつつある。
【０００３】
これらのシステムでは、受信側に専用の受信・復調装置が必要となる。この受信・復調装置においては、複数チャンネルのデータが多重化されたトランスポートストリームから所望のチャンネルのトランスポートストリームを選択する部分と、所望のチャンネルのトランスポートストリームから所望のプログラムのビデオデータとオーディオデータを分離する部分と、分離したビデオデータ及びオーディオデータを復号化する部分とを備えている。
【０００４】
また、このシステムでは、受信・復調装置において、前述した所望のチャンネルのトランスポートストリームの受信や所望のプログラムのビデオデータ及びオーディオデータの分離ができるようにするために、多重化されたトランスポートストリーム中にＰＳＩ（Ｐｒｏｇｒａｍ  Ｓｐｅｓｉｆｉｃ  Ｉｎｆｏｒｍａｔｉｏｎ：プログラム仕様情報）やＥＰＧ（Ｅｌｅｃｔｒｏｉｃ  ＰｒｏｇｒａｍＧｕｉｄｅ：電子番組ガイド）あるいはＳＩ（Ｓｅｒｖｉｃｅ  Ｉｎｆｏｒｍａｔｉｏｎ：サービス情報）を付加している。
【０００５】
【発明が解決しようとする課題】
ビデオ信号及びオーディオ信号を符号化して記録／再生するビデオテープレコーダ（以下ＤＶＣＲという）が商品化されている。前述したデジタル放送の受信信号をこのようなＤＶＣＲに記録／再生する際に、受信したビデオデータ及びオーディオデータを復号化した後、ＤＶＣＲにおいて再度符号化して記録するのでは、効率が悪いし、データの復号化／符号化の過程で信号が劣化してしまう。
【０００６】
本発明はこのような実状に鑑みてなされたものであって、デジタル放送の受信信号を復号化せずに外部に対してデジタルデータのまま入出力するデジタル信号処理装置及びデジタル信号処理方法を提供することを目的とする。
【０００７】
【課題を解決するための手段】
前記課題を解決するために、本発明に係るデジタル信号処理装置は、外部から供給され、多重化された複数チャンネルからなり、符号化されてなるトランスポートストリームを受信する受信手段と、上記受信手段により受信された当該トランスポートストリームから任意の１チャンネルのトランスポートストリームを選択する選択手段と、上記選択手段により選択したトランスポートストリームに含まれている付加情報を参照して該トランスポートストリームから任意のプログラムのデータを分離する分離手段と、上記分離手段により分離したデータを復号化する復号手段と、外部の記録再生装置とデータの送受信を行うためのデジタルインタフェースと、上記選択手段により選択した上記トランスポートストリームに含まれている付加情報の内、上記デジタルインタフェースと接続されている外部の記録再生装置に対して送信されるプログラムに関係しない情報を削除する削除手段とを備え、上記デジタルインタフェースは、上記削除手段により上記デジタルインタフェースと接続されている外部の記録再生装置に対して送信されるプログラムに関係しない情報を削除した後のトランスポートストリームを外部の記録再生装置に送信し、また、外部の記録再生装置から送信されてきたトランスポートストリームを受信することを特徴とする。
【０００８】
また、上述した分離手段は、分離すべきトランスポートストリームが上記選択手段から供給された場合には、当該トランスポートストリームに含まれている付加情報を参照して分離処理を行い、また、分離すべきトランスポートストリームが上記デジタルインタフェースによって受信した外部の記録再生装置から送信された場合には、当該トランスポートストリームに含まれている付加情報の一部のみを参照して処理を行う。
【００１０】
【発明の実施の形態】
以下本発明の実施の形態について図面を参照しながら詳細に説明する。
図１は本発明を適用したデジタル信号処理装置の構成を示すブロック図である。このデジタル信号処理装置はＩＲＤ（Ｉｎｔｅｇｒａｔｅｄ  Ｒｅｃｅｉｖｅｒ  Ｄｅｃｏｄｅｒ）と呼ばれているものである。
【００１１】
このデジタル信号処理装置は、ダウンコンバータ（図示せず）から送られてくるＲＦ信号を入力し、所望のチャンネルのトランスポートストリームを選択するフロントエンド１と、フロントエンド１で選択したトランスポートストリームから所望のプログラムのＭＰＥＧビデオデータとＭＰＥＧオーディオデータと付加情報を分離するデマルチプレクサ２と、デマルチプレクサ２を通して入出力するデータを一時的に蓄積するバッファメモリ３とを備えている。
【００１２】
また、このデジタル信号処理装置は、デマルチプレクサ２で分離したビデオデータを復号化するＭＰＥＧビデオデコーダ４と、デマルチプレクサ２で分離したオーディオデータを復号化するＭＰＥＧオーディオデコーダ５と、ＭＰＥＧビデオデコーダ４で復号化したビデオ信号をＮＴＳＣ方式のビデオ信号に変換するＮＴＳＣエンコーダ６と、ＮＴＳＣエンコーダ６の出力をアナログ化するＤ／Ａコンバータ７と、ＭＰＥＧオーディオデコーダ５の出力をアナログ化するＤ／Ａコンバータ８とを備えている。ＭＰＥＧビデオデコーダ４にはビデオデータを一時的に蓄積するバッファメモリ４ａが、またＭＰＥＧオーディオデコーダ５には、オーディオデータを一時的に蓄積するバッファメモリ５ａが設けられている。
【００１３】
さらに、このデジタル信号処理装置は、装置全体の動作を制御するマイクロコンピュータ（以下マイコンという）９と、フロントパネル１０と、デマルチプレクサ２で分離したＭＰＥＧビデオデータ、ＭＰＥＧオーディオデータ、及び付加情報を外部へ送信し、また外部から受信したＭＰＥＧビデオデータ、ＭＰＥＧオーディオデータ、及び付加情報をデマルチプレクサ２へ送るデジタルインタフェース１１を備えている。
【００１４】
フロントエンド１は、チューナとＱＰＳＫ復調器とエラー訂正回路とから構成されており、多重化されている複数チャンネルのトランスポートストリームから、ユーザーがフロントパネル１０から指定した所望のチャンネルのトランスポートストリームを選択してＱＰＳＫ復調し、さらにエラーの検出・訂正を行う。
【００１５】
図２に１チャンネル分のトランスポートストリームの例を示す。この図に示すように、１チャンネルのトランスポートストリームには複数個のプログラム（ここでは、プログラム番号１〜３を図示）が多重化されている。ここで、プログラムとは仮想的な放送チャンネル、日本の現行放送でいえば、例えばＮＨＫ衛星第１、ＮＨＫ衛星第２等の放送サービスのことである。
【００１６】
各プログラムのデータは所定の長さ（１８８バイト）でパケット化されており、その先頭にヘッダを持っている。そして、ヘッダにはデータを識別するためのＰＩＤ（Ｐａｃｋｅｔ  Ｉｄｅｎｔｉｆｉｃａｔｉｏｎ：パケットＩＤ）が付与されている。
【００１７】
フロントエンド１で選択された所望のチャンネルのトランスポートストリームから、デマルチプレクサ２を通して付加情報を含むパケットが一旦バッファメモリ３に書き込まれる。そして、ここから所望のプログラムのＭＰＥＧビデオデータとＭＰＥＧオーディオデータを認識して分離し、そのビデオデータをＭＰＥＧビデオデコーダ４へ、オーディオデータをＭＰＥＧオーディオデコーダ５へ送る。図２においては、プログラム２のビデオデータとオーディオデータを分離している。
【００１８】
この分離に際しては、パケットに付与されているＰＩＤ（パケットＩＤ）を見る。そして、それが所望のプログラムのビデオデータ及びオーディオデータを識別するＰＩＤであれば、それぞれＭＰＥＧビデオデコーダ４とＭＰＥＧオーディオデコーダ５へ送る。図２においては、プログラム番号２のビデオデータに付与されているＰＩＤは“ｘｘ”であり、オーディオデータに付与されているＰＩＤは“ｙｙ”である。なお、デジタル信号処理装置においてプログラム番号とＰＩＤとの対応関係を知る方法については、後述する。
【００１９】
ＭＰＥＧビデオデコーダ４へ送られたビデオデータは、バッファメモリ４ａに記憶され、適宜読み出されて復号化される。復号化されたビテオデータはＮＴＳＣエンコーダ６によりＮＴＳＣ方式のビデオ信号に変換され、Ｄ／Ａコンバータ７によりアナログビデオ信号に変換された後、外部のモニタ装置（図示せず）へ供給される。また、ＭＰＥＧオーディオデコーダ５へ送られたオーディオデータは、バッファメモリ５ａに記憶され、適宜読み出されて復号化される。復号化されたオーディオデータは、Ｄ／Ａコンバータ８によりアナログオーディオ信号に変換された後、モニタ装置等のスピーカー（図示せず）へ供給される。
【００２０】
以上のようにして、デジタル放送のビデオ信号及びオーディオ信号を受信し復号化してモニタ装置に表示することができる。
【００２１】
次に付加情報について説明する。前述したように、多重化されたビットストリーム中にはＰＳＩ（プログラム使用情報）やＥＰＧ（電子番組ガイド）あるいはＳＩ（サービス情報）が付加されている。ここでは、ＭＰＥＧで規定されているＰＳＩと欧州のデジタル放送であるＤＶＢ（Ｄｉｇｉｔａｌ  Ｖｉｄｅｏ  Ｂｒｏａｄｃａｓｔｉｎｇ）システムで規定されているＳＩについて説明する。
【００２２】
▲１▼：ＰＡＴ（Ｐｒｏｇｒａｍｍｅ  Ａｓｓｏｃｉａｔｉｏｎ  Ｔａｂｌｅ）
このテーブルはＭＰＥＧで規定されており、ＰＩＤ（パケットＩＤ）は０である。そして、主な内容は、後述するＮＩＴのＰＩＤと、ＰＭＴのＰＩＤの記述である。
【００２３】
▲２▼：ＰＭＴ（Ｐｒｏｇｒａｍｍｅ  Ｍａｐ  Ｔａｂｌｅ）
このテーブルもＭＰＥＧで規定されており、ＰＩＤは前述したＰＡＴにより決められている。主な内容は、プログラム番号とＰＩＤとの対応の記述と、ＥＣＭ（番組に付随するスクランブルデータ）のＰＩＤの記述である。
【００２４】
▲３▼：ＣＡＴ（Ｃｏｎｄｉｔｉｏｎａｌ  Ａｃｃｅｓｓ  Ｔａｂｌｅ）
このテーブルもＭＰＥＧで規定されており、ＰＩＤは１である。そして、主な内容は、ＥＭＭ（顧客向けのスクランブル情報）の記述である。
【００２５】
▲４▼：ＮＩＴ（Ｎｅｔｗｏｒｋ  Ｉｎｆｏｒｍａｔｉｏｎ  Ｔａｂｌｅ）
ＰＩＤは００１０である。そして、主な内容はネットワーク名（衛星名、地上波送信所等）の記述と、その各トランスポートストリーム（物理チャンネル）に関する変調方式や周波数の記述である。
【００２６】
以下のテーブルはＤＶＢで規定されている。
▲５▼：ＢＡＴ（Ｂｏｕｑｕｅｔ  Ａｓｓｏｃｉａｔｉｏｎ  Ｔａｂｌｅ）
ＰＩＤは００１１である。そして、主な内容は、ブーケ（Ｂｏｕｑｕｅｔ：番組供給者）の名称と仕向国の記述、及びトランスポートストリーム（物理チャンネル）に関するサービスの内容とＣＡＳＳ（Ｃｏｎｄｉｔｉｏｎａｌ  Ａｃｃｅｓｓ  Ｓｅｒｖｉｃｅ  Ｓｙｓｔｅｍ）方式の記述である。
【００２７】
▲６▼：ＳＤＴ（Ｓｅｒｖｉｃｅ  Ｄｅｓｃｒｉｐｔｉｏｎ  Ｔａｂｌｅ）
ＰＩＤは００１１である。そして、主な内容は、トランスポートストリーム（物理チャンネル）に関し、そこに含まれるサービスＩＤとそのブーケの名称等の記述である。ここで、サービスＩＤとは、ＮＨＫ衛星第１、ＮＨＫ衛星第２等の放送チャンネルのことである。すなわち、ＭＰＥＧで規定されているブログラム番号と同じである。
【００２８】
▲７▼：ＥＩＴ（Ｅｖｅｎｔ  Ｉｎｆｏｒｍａｔｉｏｎ  Ｔａｂｌｅ）
ＰＩＤは００１２である。そして、主な内容は、イベントＩＤとその開始時刻、放送時間、番組内容等の記述である。そして、このイベントＩＤ毎にトランスポートストリームＩＤとサービスＩＤが記述されている。ここで、イベントとは、例えば「７時のニュース（１２月１日放送分）」等の番組のことである。
【００２９】
▲８▼：ＴＤＴ（Ｔｉｍｅ  ａｎｄ  Ｄａｔａ  Ｔａｂｌｅ）
ＰＩＤは００１０である。そして、主な内容は、世界標準時の情報の記述である。このＴＤＴを用いて装置内の時計（図示せず）の時刻合わせを行える。
【００３０】
▲９▼：ＲＳＴ（Ｒｕｎｎｉｎｇ  Ｓｔａｔｕｓ  Ｔａｂｌｅ）
ＰＩＤは００１３である。そして、主な内容は、イベントの実行状況の記述である。すなわち、あるイベントの開始前、実行中、終了等の記述をする。
【００３１】
次にデジタル信号処理装置におけるマイコン９が以上説明したＰＳＩとＳＩをどのように処理するかについて説明する。
【００３２】
まず、デジタル信号処理装置においては、各ネットワークの方式に合わせて、定数等の設定を行う。この情報はＮＩＴに記述されているので、各トランスポートストリームに対し変調方式、周波数、ビットレート、誤り訂正方式等が得られる。設定後、これらの情報はマイコン９のＥＥＰＲＯＭ（図示せず）に格納する。
【００３３】
次に、ＥＩＴを用いてイベントの検索を行う。各放送イベントには固有のイベントＩＤが付与され、ＥＩＴに放送番組の名称や内容が開始時刻と共に記述され、イベント毎にそのトランスポートストリームＩＤとサービスＩＤが記述されている。そこで、ＥＩＴからトランスポートストリームＩＤを判別し、ＮＩＴで得たトランスポートストリームの定数を用いてデジタル信号処理装置を設定し、所望のチャンネルのトランスポートストリームを選択する。
【００３４】
以上フロントエンド１において所望のチャンネルのトランスポートストリームを選択する際の処理を説明した。次にデマルチプレクサ２の出力をＭＰＥＧビデオデコーダ４及びＭＰＥＧオーディオデコーダ５へ送る際のマイコン９の処理について説明する。
【００３５】
図３にデマルチプレクサ２へ入力されるトランスポートストリームの１例とその中のＰＡＴ及びＰＭＴの内容を示す。また、図４はバッファメモリ３の内部構成例を示す。そして、図５はこの処理の流れを示す図である。ここでは、プログラム番号１の放送を選択したものとして説明する。
【００３６】
まず図５のステップＳ１に示すように、フロントエンド１の出力をデマルチプレクサ２を通してバッファメモリ３に書き込む。バッファメモリ３は、図４に示すようにデータ毎に格納エリア３Ａ〜３Ｃが定められているので、それぞれのエリアに書き込む。
【００３７】
次にステップＳ２に示すように、バッファメモリ３の付加情報エリア３Ｃに書き込んだ付加情報の中からＰＡＴを探す。この処理はＰＩＤが０のパケットを探せばよい。図３（２）に示すように、ＰＡＴにはプログラム毎のＰＭＴのＰＩＤ（ここでは、ＰＭＴ１のＰＩＤを“ｃｃ”、ＰＭＴ２のＰＩＤを“ｄｄ”とした）が記述されている。
【００３８】
そこで、次にＰＩＤが“ｃｃ”のパケットを探す。これによりプログラム番号１に対応するＰＭＴ１を検出することができる。図３（３）に示すように、ＰＭＴ１にはプログラム番号１の、ＭＰＥＧビデオデータ、ＭＰＥＧオーディオデータ、及びＥＣＭのＰＩＤが記述されている。
【００３９】
したがって、プログラム番号１の放送を見る場合には、バッファメモリ３のＭＰＥＧビデオデータエリア３ＡからＰＩＤが“ａａ”のパケットを読み出し、デマルチプレクサ２を通してＭＰＥＧビデオデコーダ４へ送り、ＭＰＥＧオーディオデータエリア３ＢからＰＩＤが“ａｂ”のパケットを読み出し、デマルチプレクサ２を通してＭＰＥＧオーディオデコーダ５へ送る。図２に示したように、このときヘッダを除いたデータだけを送る。また、ＰＩＤが“ｘｘ”のパケットに記述されているＥＣＭ情報を用いてスクランブルをデコードする。
【００４０】
もしプログラム番号２の放送を見る場合には、同様にしてＰＩＤが“ｄｄ”のパケットを探す。このパケットには図３（４）に示すように、プログラム番号２の、ビデオデータ、オーディオデータ、及びＥＣＭのＰＩＤが記述されている。そこで、ＭＰＥＧビデオデータエリア３ＡからＰＩＤが“ｂａ”のパケットを読み出してＭＰＥＧビデオデコーダ４へ送り、ＭＰＥＧオーディオデータエリア３ＢからＰＩＤが“ｂｂ”のパケットを読み出してＭＰＥＧオーディオデコーダ５へ送る。また、ＰＩＤが“ｚｚ”のパケットに記述されているＥＣＭ情報を用いてスクランブルをデコードする。
【００４１】
以上フロントエンド１から入力されたトランスポートストリームをデコードする通常の処理について説明した。図１のデジタル信号処理装置は、さらにデマルチプレクサ２で分離したＭＰＥＧビデオデータ、ＭＰＥＧオーディオデータ、及び付加情報をデジタルインタフェース１１を介して外部の記録再生装置、例えばＤＶＣＲへ出力することができる。また、外部の記録再生装置が出力したＭＰＥＧビデオデータ、ＭＰＥＧオーディオデータ、及び付加情報をデジタルインタフェース１１を介して受信し、デマルチプレクサ２へ送ることができる。次にこれらの処理について説明する。
【００４２】
まずデマルチプレクサ２の出力をデジタルインタフェース１１から外部へ送出する際の処理について説明する。この処理の大半は前述した通常の処理と同じであるため、異なる点についてのみ説明する。
【００４３】
ＭＰＥＧビデオデータ及びＭＰＥＧオーディオデータはパケットヘッダを付けたままデジタルインタフェース１１へ送る。つまり、マイコン９がバッファメモリ３から読み出すときに、ヘッダごと読み出し、デマルチプレクサ２を通してデジタルインタフェース１１へ送る。
【００４４】
ＰＳＩ及びＳＩもヘッダを付けたままデジタルインタフェース１１へ送る。ただし、ＰＡＴは選択したプログラム番号のＰＭＴを指定するＰＩＤだけを残し、他は除去する。例えばプログラム番号１を選択した場合には、ＰＭＴ１のＰＩＤ（図３の場合においては“ｃｃ”）だけを残し、他は除去する。
【００４５】
このようにしてデジタルインタフェース１１へ送られたデータは、ここから外部へ送出される。デジタルインタフェース１１は、例えばＩＥＥＥ−１３９４に準拠したものである。この場合、データをＩＥＥＥ−１３９４のアイソクロナスパケットに入れて出力する。デジタルインタフェース１１から出力されたアイソクロナスパケットは、外部のＤＶＣＲ等へ送られる。そして、ここでアイソクロナスパケットからデータが取り出され、記録系におけるエラー訂正符号を付加され、チャネルコーディング処理を受けた後、記録される。
【００４６】
次に外部からの入力をデジタルインタフェース１１からデマルチプレクサ２へ送る際の処理について説明する。外部からデジタルインタフェース１１に入力されたアイソクロナスパケットは、ここで元のＭＰＥＧのビデオデータ、ＭＰＥＧのオーディオデータ、及び付加情報が取り出され、デマルチプレクサ２を通ってバッファメモリ３に書き込まれる。
【００４７】
バッファメモリ３に書き込まれたＭＰＥＧビデオデータ及びＭＰＥＧオーディオデータの処理は、前述した、フロントエンド１から入力されたトランスポートストリーム中のこれらのデータの処理と同じである。一方、バッファメモリ３に書き込まれたＰＳＩ及びＳＩに対して以下のように処理する。
【００４８】
ＰＡＴとＰＭＴはそのまま使用する。前述したように、デジタル信号処理装置から外部のＤＶＣＲへデータを出力する際に、ＰＡＴから選択したプログラム番号のＰＭＴを指定するＰＩＤだけを残し、他は除去しているので、ここで外部のＤＶＣＲから入力されたデータ中のＰＡＴには入力中のプログラム番号のＰＭＴを指定するＰＩＤだけが記述されている。したがって、ＰＡＴを見てＰＭＴを探し、そのＰＭＴを見て入力中のプログラムのＭＰＥＧビデオデータ及びＭＰＥＧオーディオデータを読み出すことができる。読み出したＭＰＥＧビデオデータ及びＭＰＥＧオーディオデータは、デマルチプレクサ２を通ってＭＰＥＧビデオデコーダ４及びＭＰＥＧオーディオデコーダ５へ送られ、以後フロントエンド１からのこれらのデータと同様に処理される。
【００４９】
ＥＩＴについては、ＰＡＴ内に記述されているプログラムのアクチュアル（ａｃｔｕａｌ）かつプレゼント（ｐｒｅｓｅｎｔ）の情報のみをデコードし、他は無視する。ここで、アクチュアルとは選択したチャンネルのトランスポートストリームであることを意味し、プレゼントとは選択したプログラムが現在放送中であることを意味する。
【００５０】
ＲＳＴについては、ＰＡＴ内に記述されているプログラムに関するもののみをデコードし、他は無視する。ＳＤＴについては、ＰＡＴ内に記述されているプログラムのアクチュアルのもののみをデコードし、他は無視する。
【００５１】
ＮＩＴはフロントエンド１における設定に必要であるが、デマルチプレクサ２においては必要ないので無視する。ＢＡＴについても同様に無視する。
【００５２】
ＴＤＴについては、外部の記録／再生装置の再生信号を入力する際には、記録再生装置の再生信号中のＴＤＴは録画時の時刻を示すものであって、現在の時刻を示すものではないため、このＴＤＴは無視する。外部からの入力信号が記録／再生装置の再生信号ではなく、そのＴＤＴが現在の時刻を示すものである場合には、そのＴＤＴをデコードする。つまり、現在の時刻を示すものであるかないかによって処理を変える。そのため、ＴＤＴの時刻が現在のものであるかないかを示す情報を外部からの入力信号に付加することが好適である。これにより、内蔵時計の時刻合わせの際に誤った時間に合わせる事態を避けることができる。
【００５３】
なお、以上の説明ではデマルチプレクサ２から外部へ１個のプログラムのＭＰＥＧビデオデータ及びＭＰＥＧオーディオデータを送出するものとして説明したが、例えば外部のＤＶＣＲが複数プログラムの記録が可能な記録レートを持つものであれば、複数プログラムを送出するように構成してもよい。
【００５４】
【発明の効果】
以上詳細に説明したように、本発明によれば、外部との間で復号化前のビデオデータ、復号化前のオーディオデータ、及び付加情報の送受信を行うことができる。したがって、外部の記録／再生装置において、これらのデータ及び付加情報を効率的にかつ劣化することなく記録／再生することができる。
【００５５】
また、外部から入力される付加情報に対しては、受信したトランスポートストリーム中の付加情報の処理とは異なる処理を行うことができる。例えば、外部から入力されるプログラムのビデオデータ及びオーディオデータと関係のない付加情報を無視する。これにより、外部から入力されていないプログラムに関する番組ガイドを誤って表示する事態を避けることができる。
【図面の簡単な説明】
【図１】本発明を適用したデジタル信号処理装置の構成を示すブロック図である。
【図２】１チャンネル分のトランスポートストリームの例を示す図である。
【図３】デマルチプレクサへ入力されるトランスポートストリームの１例とその中のＰＡＴ及びＰＭＴの内容を示す図である。
【図４】図１におけるバッファメモリ３の内部構成例を示す図である。
【図５】デマルチプレクサの出力をＭＰＥＧビデオデコーダ及びＭＰＥＧオーディオデコーダへ送る際のマイコンの処理の流れを示す図である。
【符号の説明】
１…フロントエンド、２…デマルチプレクサ、４…ＭＰＥＧビデオデコーダ、５…ＭＰＥＧオーディオデコーダ、９…マイコン、１１…デジタルインタフェース
【図１】
0003666093.tif 000002
【図２】
0003666093.tif 000003
【図３】
0003666093.tif 000004
【図４】
0003666093.tif 000005
【図５】
0003666093.tif 000006